(57)【要約】【課題】最小の部品点数により、また、短期間で自動的に石鹸水が吐出する航空機用化粧室ユニットの石鹸水自動供給機構を提供する。【解決手段】石鹸水吐出容器２８は、手でノズルを押し込むことでノズルから石鹸水を吐出するノズル押し込み式の市販品であり、容器本体２８０２とノズル２８０４と不図示のポンプなどを備える。容器本体２８０２は、下ブラケット４０と上ブラケット４２により上部収納部２０の内部で支持されている。接続部材３４は、昇降体５４とノズル２８０４とを接続している。使用者がノズル２８０４の下方に手を位置させると、人体検知部３６が手を検知し、制御部３８は、モータ４６を正転させ昇降体５４を下限位置から上限位置に上昇させ、接続部材３４を介してノズル２８０４を下限位置から上限位置に上昇させることで、石鹸水がノズル２８０４から自動的に吐出される。【選択図】図４
2019166214.tif 000002
【特許請求の範囲】
【請求項１】
床の上方のカウンタテーブルに設けられた洗面ボウルと、前記洗面ボウルに水を吐出する自動水栓と、前記カウンタテーブルの上方または下方に設けられた収納部と、石鹸水吐出容器とを備え、
前記石鹸水吐出容器は、石鹸水が収容され上下に縦長の容器本体と、前記容器本体の長手方向の端部に設けられ前記長手方向に移動されることで前記容器本体に収容された石鹸水を吐出させるノズルとを有する航空機用化粧室ユニットであって、
前記カウンタテーブルの上方または下方の前記収納部の内部で航空機用化粧室ユニットの壁に取着され前記容器本体の長手方向を上下方向に向けかつ前記ノズルを前記収納部から露出させ前記洗面ボウルの上方に位置させて前記容器本体を保持するブラケットと、
前記壁で支持されて前記収納部の内部に配置され前記容器本体の側方で上下方向に沿って移動する昇降体を有するアクチュエータと、
前記昇降体と前記ノズルとを接続する接続部材と、
前記ノズルの近傍に手が位置したことを検知する人体検知部と、
前記人体検知部の検知結果に基づいて前記アクチュエータを作動させ前記昇降体を前記容器本体の長手方向に沿って移動させる制御部と、
が設けられていることを特徴とする航空機用化粧室ユニットの石鹸水自動供給機構。
【請求項２】
前記ブラケットは、前記容器本体の下部に配置される下ブラケットと、前記容器本体の上部に配置される上ブラケットとを備え、
前記容器本体は、前記下ブラケットにより前記壁から離れる方向に挿脱可能な状態で前記容器本体の長手方向と直交する方向に移動不能に、また、下方に移動不能に支持され、前記上ブラケットにより上方に移動不能に支持されている、
ことを特徴とする請求項１記載の航空機用化粧室ユニットの石鹸水自動供給機構。
【請求項３】
前記アクチュエータは前記ブラケットに取着され、
前記アクチュエータは前記ブラケット介して前記壁により間接的に支持されている、
ことを特徴とする請求項１または２記載の航空機用化粧室ユニットの石鹸水自動供給機構。
【請求項４】
前記接続部材は上下方向に延在する上下延在部を有し、
前記上下延在部の少なくとも一部は、可撓可能な可撓部材で構成されている、
ことを特徴とする請求項１から３の何れか１項記載の石鹸水自動供給機構。
【発明の詳細な説明】
【技術分野】
【０００１】
本発明は、航空機用化粧室ユニットの石鹸水自動供給機構に関する。
【背景技術】
【０００２】
航空機用化粧室ユニットは、洗面ボウルが設けられたカウンタテーブルを備え、カウンタテーブルには、洗面ボウル上に水を吐出する自動水栓が設けられ、また、洗面ボウル上に石鹸水を吐出する石鹸水吐出容器とが配置されている。
石鹸水吐出容器は、石鹸水が収容され上下に縦長の容器本体と、容器本体の長手方向の端部に設けられ容器本体の長手方向に移動されることで容器本体に収容された石鹸水を吸い上げるポンプとを有し、ノズルが手で押し込まれることによりポンプを介してノズルから石鹸水を吐出するように構成されている。
【先行技術文献】
【特許文献】
【０００３】
【特許文献１】ＷＯ２０１４/１４１７０１
【発明の概要】
【発明が解決しようとする課題】
【０００４】
そのため、石鹸水を使用するには、使用者は手でノズルを触らなければならず、近年、航空機用化粧室ユニットにも衛生上の観点から自動的に石鹸水を吐出する石鹸水自動供給機構の装備が望まれている。
しかしながら、手でノズルを押し込む式の石鹸水吐出容器が既に装備された航空機用化粧室ユニットにおいて、この石鹸水吐出容器を含めて全ての部品を初めから設計し直すには、大掛かりな設計変更となり、コストが掛かると共に、短期間で自動的に石鹸水を吐出する石鹸水自動供給機構に変えることができない問題が生じる。
本発明は前記事情に鑑み案出されたものであって、本発明の目的は、手でノズルを押し込む式の石鹸水吐出容器が既に装備された航空機用化粧室ユニットにおいて、最小の部品点数により、また、短期間で自動的に石鹸水を吐出する航空機用化粧室ユニットの石鹸水自動供給機構を提供することにある。
【課題を解決するための手段】
【０００５】
上述の目的を達成するため、本発明は、床の上方のカウンタテーブルに設けられた洗面ボウルと、前記洗面ボウルに水を吐出する自動水栓と、前記カウンタテーブルの上方または下方に設けられた収納部と、石鹸水吐出容器とを備え、前記石鹸水吐出容器は、石鹸水が収容され上下に縦長の容器本体と、前記容器本体の長手方向の端部に設けられ前記長手方向に移動されることで前記容器本体に収容された石鹸水を吐出させるノズルとを有する航空機用化粧室ユニットであって、前記カウンタテーブルの上方または下方の前記収納部の内部で航空機用化粧室ユニットの壁に取着され前記容器本体の長手方向を上下方向に向けかつ前記ノズルを前記収納部から露出させ前記洗面ボウルの上方に位置させて前記容器本体を保持するブラケットと、前記壁で支持されて前記収納部の内部に配置され前記容器本体の側方で上下方向に沿って移動する昇降体を有するアクチュエータと、前記昇降体と前記ノズルとを接続する接続部材と、前記ノズルの近傍に手が位置したことを検知する人体検知部と、前記人体検知部の検知結果に基づいて前記アクチュエータを作動させ前記昇降体を前記容器本体の長手方向に沿って移動させる制御部とが設けられていることを特徴とする。
また、本発明は、前記ブラケットは、前記容器本体の下部に配置される下ブラケットと、前記容器本体の上部に配置される上ブラケットとを備え、前記容器本体は、前記下ブラケットにより前記壁から離れる方向に挿脱可能な状態で前記容器本体の長手方向と直交する方向に移動不能に、また、下方に移動不能に支持され、前記上ブラケットにより上方に移動不能に支持されていることを特徴とする。
また、本発明は、前記アクチュエータは前記ブラケットに取着され、前記アクチュエータは前記ブラケット介して前記壁により間接的に支持されていることを特徴とする。
また、本発明は、前記接続部材は上下方向に延在する上下延在部を有し、前記上下延在部の少なくとも一部は、可撓可能な可撓部材で構成されていることを特徴とする。
【発明の効果】
【０００６】
本発明によれば、手でノズルを押し込む式の石鹸水吐出容器が既に装備された航空機用化粧室ユニットにおいて、その石鹸水吐出容器を用いて自動的に石鹸水が吐出する石鹸水自動供給機構を構成した。
したがって、大掛かりな設計変更を要せず、最少部品で石鹸水自動供給機構を構成でき、手でノズルを押し込む式の石鹸水吐出容器が既に装備された航空機用化粧室ユニットにおいて、短期間で石鹸水自動供給機構に変える上で有利となる。
また、本発明によれば、容器本体が、下ブラケットおよび上ブラケットに対して壁から離れる方向において挿脱可能に支持されているので、容器本体への石鹸水の補給を円滑に行なう上で有利となる。
また、本発明によれば、予めアクチュエータをブラケットに取着しておくことができるので、アクチュエータを直接壁に取着する場合に比べ、組み立て作業の効率化を図れ、手でノズルを押し込む式の石鹸水吐出容器が既に装備された航空機用化粧室ユニットにおいて、短期間で石鹸水自動供給機構に変える上でより有利となる。
また、本発明によれば、上下延在部の少なくとも一部を可撓部材で構成したので、使用者がノズルを手により移動させても、その移動したストローク分を可撓部材で撓ませることで吸収できるので、手によってもノズルを円滑に移動させることができ、アクチュエータなどを壊すことなく石鹸水の供給を支障なく行なう上で有利となる。
【図面の簡単な説明】
【０００７】
【図１】第１の実施の形態に係る石鹸水自動供給機構が適用された航空機用化粧室ユニットから一方の側面壁および出入用扉を省いた斜視図である。
【図２】第１の実施の形態に係る石鹸水自動供給機構を斜め上方から見た斜視図である。
【図３】第１の実施の形態に係る石鹸水自動供給機構の正面図である。
【図４】第１の実施の形態に係る石鹸水自動供給機構の側面図である。
【図５】第１の実施の形態に係る石鹸水自動供給機構の平面図である。
【図６】第２の実施の形態に係る石鹸水自動供給機構の側面図である。
【図７】第３の実施の形態に係る石鹸水自動供給機構がカウンタテーブルの下方に設けられた下部収納部に組み込まれた状態を示す正面図である。
【発明を実施するための形態】
【０００８】
以下、本発明の実施の形態を図面を参照して説明する。
（第１の実施の形態）
まず、図１〜図５を参照して第１の実施の形態から説明する。
図１に示すように、航空機用化粧室ユニット１０の躯体１２は、床板１２０２、床板１２０２の長手方向の両端から起立する正面壁１２０４および背面壁１２０６、床板１２０２の長手方向と直交する方向の両端から起立する一対の側面壁１２０８とを有し、正面壁１２０４には出入口１２１０と、出入口１２１０を開閉する出入用扉とを備え、図１では、一対の側面壁１２０８のうちの一方の側面壁１２０８と、出入用扉とが省略されている。
【０００９】
躯体１２の内部は化粧室１００２となっており、背面壁１２０６の前方に便器１４が配置され、側面壁１２０８の高さ方向の中間にカウンタテーブル１６が設けられ、カウンタテーブル１６の下方には、ごみ箱などが収納された下部収納部１８が設けられ、カウンタテーブル１６から上方に離れた箇所にティッシュなどの備品が収納された上部収納部２０が設けられている。
下部収納部１８は、複数の下部扉１８０２、１８０４、１８０６により開閉可能に構成され、上部収納部２０は、鏡付き扉２００２と、その側方の扉２００４とにより開閉可能に構成されている。
カウンタテーブル１６の上面１６０２には洗面ボウル２２が設けられている。
カウンタテーブル１６には、洗面ボウル２２への水の吐出を可能とする自動水栓２４が設けられ、また、上部収納部２０には、洗面ボウル２２への石鹸水の吐出を可能とした石鹸水自動供給機構２６が設けられている。
自動水栓２４は、水を洗面ボウル２２に吐出する吐水部、給水源から吐水部に水を導く給水路、吐水部の近傍に設けられた人体検知センサ、人体検知センサの検知動作に基づいて給水路を開閉する開閉弁など、従来公知の様々な構成部品により構成されている。
【００１０】
図２〜図５に示すように、石鹸水自動供給機構２６は、石鹸水吐出容器２８、ブラケット３０、アクチュエータ３２、接続部材３４、人体検知部３６、制御部３８などを含んで構成されている。
石鹸水吐出容器２８は、カウンタテーブル１６に配置され手でノズルを押し込むことでノズルから石鹸水を吐出するノズル押し込み式の市販品であり、容器本体２８０２とノズル２８０４と不図示のポンプなどを備える。
図４に示すように、容器本体２８０２には石鹸水が収容されており、容器本体２８０２は上下に縦長の円筒形の胴部２８０６を有している。
胴部２８０６の長手方向の端部には、石鹸水を補給するための開口２８０８が設けられ、開口２８０８はキャップ２８１０により開閉され、ノズル２８０４はこのキャップ２８１０から突設されている。
石鹸水吐出容器２８は、カウンタテーブル１６に配置されて使用されるものであるため、ノズル２８０４の形状は手により押しやすい形状で形成されており、ノズル２８０４を容器本体２８０２側に押し込むことによりポンプが作動しノズル２８０４の先端に設けられた吐出口２８１２（図３参照）から石鹸水を吐出する。
本実施の形態ではカウンタテーブル１６に配置されて使用される石鹸水吐出容器２８の市販品を上下を逆にして用いるため、ノズル２８０４はキャップ２８１０から離れた下限位置と、キャップ２８１０に近づいた上限位置との間で上下に移動可能で、不図示のスプリングにより常時下限位置に位置するように付勢されている。
また、カウンタテーブル１６に配置されて使用される石鹸水吐出容器２８の市販品を上下を逆にして用いるため、ノズル２８０４に接続され容器本体２８０２の底部に至る吸い込み管を備えるものでは、吸い込み管をキャップ２８１０の近傍で切断しておく。
【００１１】
図２〜図５に示すように、ブラケット３０は、本実施の形態では、下ブラケット４０と上ブラケット４２とを備えている。
図４に示すように、下ブラケット４０と上ブラケット４２は、上部収納部２０の内部で躯体１２の側面壁１２０８に取着されている。
容器本体２８０２は、下ブラケット４０と上ブラケット４２により上部収納部２０の内部で容器本体２８０２の長手方向を上下方向に向けて支持され、ノズル２８０４は上部収納部２０の底壁２０１０の開口２０１２を通して底壁２０１０の下方に露出し、洗面ボウル２２の上方に位置している。
図２〜図４に示すように、下ブラケット４０は、ねじ挿通孔４００２が形成された取り付け板部４００４と、取り付け板部４００４の両側から突設され容器本体２８０２のキャップ２８１０側の胴部２８０６に直径方向の両側から弾接しキャップ２８１０側の胴部２８０６を挟持する一対の挟持板部４００６を備え、一対の挟持板部４００６は弾性変形可能であり、ねじ挿通孔４００２に挿通されたねじが側面壁１２０８の雌ねじに螺合することで取り付け板部４００４が側面壁１２０８に取着されている。
一対の挟持板部４００６の先部は、キャップ２８１０側の胴部２８０６を挟持できるように胴部２８０６の外径に対応した円弧面部４００８で形成され、一対の円弧面部４００８の先端には、一対の円弧面部４００８の先端から互いに離れる方向に突出し一対の挟持板部４００６を開くため操作用板部４０１０が設けられている。
さらに、一対の円弧面部４００８の下端には、胴部２８０６のキャップ２８１０側の端部に下方から係止する係止板部４０１２が設けられている。
【００１２】
図２〜図５に示すように、上ブラケット４２は、一対の取り付け板部４２０２と、一対の取り付け板部４２０２に接続され容器本体２８０２のキャップ２８１０と反対側の端部に当接可能な当接板部４２０４とを有している。
一対の取り付け板部４２０２の基部フランジ４２０２Ａにはねじ挿通孔４２０６が形成され、ねじ挿通孔４２０６に挿通されたねじが側面壁１２０８の雌ねじに螺合することで取り付け板部４２０２が側面壁１２０８に取着されている。
図２、図５に示すように、一対の取り付け板部４２０２は、正面壁１２０４と背面壁１２０６とを結ぶ方向に離間しており、一対の取り付け板部４２０２と当接板部４２０４との間は、アクチュエータ３２を配設するための欠部４２１０となっている。
図２、図３、図５に示すように、当接板部４２０４は、容器本体２８０２のキャップ２８１０と反対側の端部２８１４の突出部２８１６を跨ぐ欠部４２１２を有しており、図２、図３、図４に示すように、欠部４２１２の両側部分が突出部２８１６の周囲の端部２８１４に上方から当接する。
したがって、ブラケット３０は、カウンタテーブル１６の上方の上部収納部２０の内部で側面壁１２０８に取着され容器本体２８０２の長手方向を上下方向に向けかつノズル２８０４を上部収納部２０から露出させ洗面ボウル２２の上方に位置させて容器本体２８０２を保持している。
詳細には、石鹸水吐出容器２８の容器本体２８０２は、下ブラケット４０により側面壁１２０８から離れる方向に挿脱可能な状態で胴部２８０６の直径方向に、すなわち、容器本体２８０２の長手方向と直交する方向に移動不能に、また、下方に移動不能に支持されている。
また、容器本体２８０２は、上ブラケット４２により上方に移動不能に支持され、また、側面壁１２０８から離れる方向を除いて胴部２８０６の直径方向に移動不能に支持されている。
したがって、容器本体２８０２は、下ブラケット４０および上ブラケット４２に対して側面壁１２０８から離れる方向において挿脱可能に支持され、容器本体２８０２への石鹸水の補給が円滑になされるように図られている。
【００１３】
図４に示すように、アクチュエータ３２は、上部収納部２０の内部に配置され、容器本体２８０２の側方で容器本体２８０２と側面壁１２０８との間に設けられている。
アクチュエータ３２は、側面壁１２０８に取着されるフレーム４４と、フレーム４４の下部で支持されたモータ４６と、フレーム４４の上部に取着され上下に延在するガイド板４８と、モータ４６により回転されるねじ軸５０と、ねじ軸５０に螺合するナット５２を支持しガイド板４８に上下に滑動可能に結合する昇降体５４とを含んで構成されている。
モータ４６が正逆転すると、ねじ軸５０が正逆転し、ガイド板４８に回転が阻止された昇降体５４が容器本体２８０２の側方で昇降する。
ガイド板４８の上下の４隅にはボルトＮが挿通され、それらボルトＮはフレーム４４を挿通して側面壁１２０８の雌ねじに螺合され、したがって、ガイド板４８はフレーム４４に取着され、フレーム４４は側面壁１２０８に取着されている。
【００１４】
図４に示すように、接続部材３４は、昇降体５４とノズル２８０４とを接続している。
接続部材３４は、ノズル２８０４に取着されると共にノズル２８０４に取着された箇所から側面壁１２０８に向かう取り付け部３４０２と、取り付け部３４０２の端部から上方に延在する下側上下延在部３４０４と、下側上下延在部３４０４の上端からキャップ２８１０、容器本体２８０２の底面に沿って側面壁１２０８に向かって斜めに上昇する傾斜部３４０６と、容器本体２８０２の側方で傾斜部３４０６の上端から上方に延在しその上端が昇降体５４にブラケット３４１０を介して取着された上側上下延在部３４０８とを有している。
下側上下延在部３４０４と上側上下延在部３４０８とは上下方向に延在している。
【００１５】
接続部材３４はその全ての部分を鋼材や硬質な合成樹脂からなる可撓不能な線状の部材で構成してもよいが、接続部材３４の長手方向の少なくとも一部を可撓可能なワイヤなどの可撓部材で構成してもよい。
このように接続部材３４に可撓部材を介在させることにより、航空機用化粧室ユニット１０の使用者がノズル２８０４を手により上昇させた際に、その上昇したストローク分を可撓部材で撓ませることで吸収し、手によってもノズル２８０４を円滑に上昇できるように図られている。
本実施の形態では、図４に示すように、ブラケット３４１０により昇降体５４に取着された上側上下延在部３４０８の上端から上側上下延在部３４０８の上下方向の中間部までを可撓部材３４１２で構成し、手によってノズル２８０４を押し上げた際に可撓部材３４１２が撓んでも上部収納部２０内に位置することで外部から見えないように図られ、石鹸水自動供給機構２６の外観性の向上が図られている。
なお、可撓部材３４１２を含んで接続部材３４を構成しても、石鹸水を供給する際には、昇降体５４が上昇し可撓部材３４１２を介してノズル２８０４を引き上げ、可撓部材３４１２には引張力が作用するので、石鹸水の供給は支障なく行なわれ、また、下側上下延在部３４０４や上側上下延在部３４０８の一部または全部を可撓部材３４１２で構成しても、昇降体５４によるノズル２８０４の上下動時に可撓部材３４１２が他の箇所に触れず、石鹸水の供給が支障なく行なわれる。
【００１６】
また、フレーム４４には、図４に示すように、昇降体５４によるノズル２８０４の移動範囲を決定するための昇降体５４の下限位置および上限位置を検出する下限位置センサ５６および上限位置センサ５８が設けられている。
下限位置センサ５６は、昇降体５４の下限位置を検出すると検出信号ＳＬを後述する制御部３８に供給する。
上限位置センサ５８は、昇降体５４の上限位置を検出すると検出信号ＳＨを後述する制御部３８に供給する。
昇降体５４の下限位置は、ノズル２８０４の下限位置に対応して設定され、昇降体５４の上限位置は、ノズル２８０４から所定量の石鹸水を吐出するに足るノズル２８０４のストローク量に対応して設定される。
下限位置センサ５６、上限位置センサ５８は、昇降体５４の位置を検出できるものであればよく、近接センサやリミットスイッチなど従来公知の様々なセンサが使用可能である。
【００１７】
図４に示すように、人体検知部３６は、ノズル２８０４の近傍に手が位置したことを検知するものであり、手を検知すると、検出信号Ｓ０を後述する制御部３８に供給する。
本実施の形態では、人体検知部３６は、上部収納部２０の底壁２０１０の側面壁１２０８から離れた側の縁部から上方に延在する側壁２０１４の下部でノズル２８０４に近接した箇所に人体検知部３６が設けられている。
人体検知部３６として、赤外線を発光する発光部と、発光部から照射された赤外線の反射光を受光する受光部とを有し、受光部による反射光の有無によって人体の検知を行なう赤外線センサなど従来公知の様々なセンサが使用可能である。
【００１８】
制御部３８は、人体検知部３６の検知結果に基づいてアクチュエータ３２を作動させ昇降体５４を容器本体２８０２の長手方向に沿って移動させるものである。
詳細に説明すると、制御部３８は、人体検知部３６から供給される検出信号Ｓ０に基づいてアクチュエータ３２のモータ４６に駆動信号ＳＭを供給することで、モータ４６の回転制御を行なう。
制御部３８によるモータ４６の回転制御は、下限位置センサ５６および上限位置センサ５８から供給される検出信号ＳＬ、ＳＨに基づいてモータ４６を正転、逆転、停止させることでなされる。
【００１９】
本実施の形態の石鹸水自動供給機構２６の動作は次の通りである。
航空機用化粧室ユニット１０の使用者がノズル２８０４の下方に手を位置させると、人体検知部３６が手を検知して検出信号Ｓ０を制御部３８に供給する。
これにより制御部３８は、モータ４６を正転させ昇降体５４を下限位置から上限位置に上昇させ、接続部材３４を介してノズル２８０４を下限位置から上限位置に上昇させることで、所定量の石鹸水がノズル２８０４から自動的に吐出される。
石鹸水の吐出後は、制御部３８は、モータ４６を逆転させ昇降体５４を上限位置から下限位置に復帰させ、これに伴いノズル２８０４は不図示のスプリングにより上限位置から下限位置に復帰する。
【００２０】
本実施の形態によれば、手でノズル２８０４を押し込む式の石鹸水吐出容器２８が既に装備された航空機用化粧室ユニット１０において、その石鹸水吐出容器２８を用いて自動的に石鹸水が吐出する石鹸水自動供給機構２６を構成した。
そのため、大掛かりな設計変更を要せず、最少部品で石鹸水自動供給機構２６を構成でき、手でノズル２８０４を押し込む式の石鹸水吐出容器２８が既に装備された航空機用化粧室ユニット１０において、短期間で石鹸水自動供給機構２６に変えることが可能となる。
また、洗面ボウル２２の上方でノズル２８０４が上部収納部２０から下方に露出し、このノズル２８０４と接続部材３４の下側上下延在部３４０４を除いた残りの石鹸水自動供給機構２６の箇所は上部収納部２０に隠されている。すなわち、アクチュエータ３２やブラケット３４、接続部材３４の傾斜部３４０６、上側上下延在部３４０８は上部収納部２０に隠されているので、石鹸水自動供給機構２６の外観性に優れる。
また、本実施の形態では、上側上下延在部３４０８の一部を可撓部材３４１２で構成したので、航空機用化粧室ユニット１０の使用者がノズル２８０４を手により上昇させても、その上昇したストローク分を可撓部材３４１２で撓ませることで吸収できるので、手によってもノズル２８０４を円滑に上昇でき、アクチュエータ３２などを壊すことなく石鹸水の供給が支障なく行なわれる。
【００２１】
（第２の実施の形態）
次に、図６を参照して第２の実施の形態について説明する。
なお、以下の実施の形態の説明では、第１の実施の形態と同様な箇所、部材に同一の符号を付してその説明を省略し、異なった箇所を重点的に説明する。
第２の実施の形態では、アクチュエータ３２のフレーム４４の両側にフランジ４４０２が設けられ、それらフランジ４４０２が一対の取り付け板部４２０２に取着されることでアクチュエータ３２が配置されている。
そして、フレーム４４が側面壁１２０８に面する背面４４０４は側面壁１２０８に接触している。
したがって、第２の実施の形態では、アクチュエータ３２はブラケット３０を介して側面壁１２０８により間接的に支持されている。
このような第２の実施の形態によれば、第１の実施の形態の効果が奏される他、予めアクチュエータ３２を上ブラケット４２に取着しておくことができるので、アクチュエータ３２を直接側面壁１２０８に取着する場合に比べ、組み立て作業の効率化を図れ、手でノズル２８０４を押し込む式の石鹸水吐出容器２８が既に装備された航空機用化粧室ユニット１０において、短期間で石鹸水自動供給機構２６に変える上で有利となる。
【００２２】
（第３の実施の形態）
次に、図７を参照して第３の実施の形態について説明する。
第１、第２の実施の形態では、カウンタテーブル１６に配置されて使用される石鹸水吐出容器２８の市販品を上下を逆にして用いたが、第３の実施の形態では、石鹸水吐出容器２８の市販品をその市販品の仕様の通りの向きで用いて石鹸水自動供給機構２６を構成したものであり、また、容器本体２８０２やブラケット３０、アクチュエータ３２が下部収納部１８に配置されている。
すなわち、ノズル２８０４を上にして容器本体２８０２が下ブラケット４０と上ブラケット４２により下部収納部１８の内部で支持され、ノズル２８０４は、カウンタテーブル１６の開口１６１０から上方に露出し、ノズル２８０４の先端は洗面ボウル２２上に位置している。
【００２３】
下ブラケット４０と上ブラケット４２は、第１、第２の実施の形態と同様に側面壁１２０８に取着され、下ブラケット４０の一対の挟持板部４００６に設けられた係止板部４０１２の形状が第１、第２の実施の形態と異なり、また、上ブラケット４２に欠部４２１０が設けられていない点が第１、第２の実施の形態と異なっている。
下ブラケット４０と上ブラケット４２からなるブラケット３０は、カウンタテーブル１６の下方の下部収納部１８の内部で側面壁１２０８に取着され容器本体２８０２の長手方向を上下方向に向けかつノズル２８０４を下部収納部１８から露出させ洗面ボウル２２の上方に位置させて容器本体２８０２を保持している。
詳細には、石鹸水吐出容器２８の容器本体２８０２は、下ブラケット４０により側面壁１２０８から離れる方向に挿脱可能な状態で胴部２８０６の直径方向に、すなわち、容器本体２８０２の長手方向と直交する方向に移動不能に、また、下方に移動不能に支持されている。
また、容器本体２８０２は、上ブラケット４２により上方に移動不能に支持され、また、側面壁１２０８から離れる方向を除いて胴部２８０６の直径方向に移動不能に支持されている。
【００２４】
アクチュエータ３２は、第１、第２の実施の形態のように、容器本体２８０２と側面壁１２０８との間ではなく、容器本体２８０２の側方で側面壁１２０８に取着されて配置されている。
また、アクチュエータ３２は第１、第２の実施の形態と上下が反転して設けられている。
すなわち、アクチュエータ３２は、側面壁１２０８に取着されるフレーム４４と、フレーム４４の上部で支持されたモータ４６と、フレーム４４の下部に取着され上下に延在するガイド板４８と、モータ４６により回転されるねじ軸５０と、ねじ軸５０に螺合するナット５２を支持しガイド板４８に上下に滑動可能に結合する昇降体５４とを含んで構成され、下部収納部１８に配置されている。
【００２５】
接続部材３４は、昇降体５４とノズル２８０４とを接続し、接続部材３４は、ノズル２８０４に取着されると共にノズル２８０４に取着された箇所から側面壁１２０８に平行しノズル２８０４から離れる方向に向かう取り付け部３４２０と、取り付け部３４２０３４０２の端部から下方に延在する上側上下延在部３４２２と、上側上下延在部３４２２の下端からキャップ２８１０、容器本体２８０２の上面に沿って側面壁１２０８に平行して容器本体２８０２から離れる方向に向かって斜めに下降する傾斜部３４２４と、容器本体２８０２の側方で傾斜部３４２４の下端から下方に延在しその下端が昇降体５４にブラケット３４１０を介して取着された下側上下延在部３４２６とを有している。
上側上下延在部３４２２と下側上下延在部３４２６とは上下方向に延在している。
【００２６】
なお、人体検知部３６は、ノズル２８０４近傍のカウンタテーブル１６の上面１６０２の箇所、あるいは、ノズル２８０４近傍の側面壁１２０８の箇所に設けられている。
また、図７において、下限位置センサ５６、上限位置センサ５８は図示を省略したが、それぞれアクチュエータ３２のフレーム４４の下部と上部とに設けられている。
【００２７】
本実施の形態では、ブラケット３０により昇降体５４に取着された下側上下延在部３４２６の下端から下側上下延在部３４２６の上下方向の中間部までを可撓部材３４２８で構成し、手によってノズル２８０４を押し下げた際に可撓部材３４２８が撓んでも下部収納部１８内に位置することで外部から見えないように図られ、石鹸水自動供給機構２６の外観性の向上が図られている。
なお、可撓部材３４２８を含んで接続部材３４を構成しても、石鹸水を供給する際には、昇降体５４が下降し可撓部材３４２８を介してノズル２８０４を押し下げ、可撓部材３４２８には引張力が作用するので、石鹸水の供給は支障なく行なわれ、また、上側上下延在部３４２２や下側上下延在部３４２６の一部または全部を可撓部材３４２８で構成しても、昇降体５４によるノズル２８０４の上下動時に可撓部材３４２８が他の箇所に触れず、石鹸水の供給が支障なく行なわれる。
このような第３の実施の形態によっても、第１の実施の形態と同様な効果が奏される。
【００２８】
なお、本実施の形態では、手でノズル２８０４を押し込むことでノズル２８０４から石鹸水を吐出する石鹸水吐出容器２８である場合について説明したが、本発明において石鹸水吐出容器２８は、手でノズル２８０４を押し込むことでノズル２８０４から石鹸水と空気とが混合された泡状の石鹸を吐出する石鹸泡吐出容器を含む。
【符号の説明】
【００２９】
１０  航空機用化粧室ユニット
１２０２  床板（床）
１２０８  側面壁（壁）
１６  カウンタテーブル
１８  下部収納部
２０  上部収納部
２２  洗面ボウル
２４  自動水栓
２６  石鹸水自動供給機構
２８  石鹸水吐出容器
２８０２  容器本体
２８０４  ノズル
３０  ブラケット
３２  アクチュエータ
３４  接続部材
３４０４  下側上下延在部
３４０８  上側上下延在部
３４１２  可撓部材
３４２２  上側上下延在部
３４２６  下側上下延在部
３４２８  可撓部材
３６  人体検知部
３８  制御部
４０  下ブラケット
４２  上ブラケット
５４  昇降体
【図１】
2019166214.tif 000003
【図２】
2019166214.tif 000004
【図３】
2019166214.tif 000005
【図４】
2019166214.tif 000006
【図５】
2019166214.tif 000007
【図６】
2019166214.tif 000008
【図７】
2019166214.tif 000009